(57)【要約】      （修正有）【課題】作動感度を向上させる残留電流作動遮断器の機能検出装置を提供する。【解決手段】残留電流作動遮断器の機能検出装置は、低圧配電キャビネットバスバーと、インテリジェント制御端末と、残留電流作動遮断器と、変流器と、漏電トリップ装置と、アース体と、ヒューズとを含み、インテリジェント制御端末は、商用電源モジュール２１と、蓄電池２２と、第一通信モジュールと、主プロセッサ２４１とコプロセッサ２４２と、第一メモリ２６と、ヒューマンコンピュータインタラクションモジュールと、クロックチップ２８とを含む。コプロセッサは、第一通信モジュールを介して残留電流作動遮断器、漏電トリップ装置からデータを受信し、制御コマンドを発令したり、アラーム情報を作製して報告する。主プロセッサは、受信されたデータパケットの解凍、分類、計算、分析を行い、サーバに報告する。【選択図】図２
0003234333.tif 000002
【実用新案登録請求の範囲】
【請求項１】
低圧配電キャビネットバスバー（１）と、インテリジェント制御端末（２）と、残留電流作動遮断器（３）と、変流器（４）と、漏電トリップ装置（５）と、アース体（６）と、ヒューズ（７）とを含み、
残留電流作動遮断器（３）の上端におけるＮ／Ａ／Ｂ／Ｃ端子は、低圧配電キャビネットバスバー（１）のＮ／Ａ／Ｂ／Ｃ端子とそれぞれ電気的に接続され、残留電流作動遮断器（３）の下端におけるＮ／Ａ／Ｂ／Ｃ端子は、変流器（４）を介してヒューズ（７）と電気的に接続され、インテリジェント制御端末（２）のＮ／Ａ／Ｂ／Ｃ端子は、残留電流作動遮断器（３）の上端におけるＮ／Ａ／Ｂ／Ｃ端子とそれぞれ電気的に接続され、
インテリジェント制御端末（２）は、漏電トリップ装置（５）に給電するように電気的に接続され、漏電トリップ装置（５）の下端におけるＮ／Ａ／Ｂ／Ｃ端子は、残留電流作動遮断器（３）の下端におけるＮ／Ａ／Ｂ／Ｃ端子とそれぞれ電気的に接続され、且つ変流器（４）の上流に位置しており、
漏電トリップ装置（５）のアース端子は、アース体（６）と電気的に接続され、インテリジェント制御端末（２）と漏電トリップ装置（５）及び残留電流作動遮断器（３）とはＲＳ４８５によりローカル通信が実現される残留電流作動遮断器の機能検出装置であって、
前記インテリジェント制御端末（２）は、商用電源モジュール（２１）と、蓄電池（２２）と、第一通信モジュールと、第一プロセッサと、第一メモリ（２６）と、ヒューマンコンピュータインタラクションモジュールと、クロックチップ（２８）とを含み、第一プロセッサは、主プロセッサ（２４１）とコプロセッサ（２４２）とを含み、主プロセッサ（２４１）は、第一メモリ（２６）及びクロックチップ（２８）とそれぞれ電気的に接続されてデータの双方向伝送を実現すように構成され、
コプロセッサ（２４２）は、主プロセッサ（２４１）と電気的に接続されてデータの双方向伝送を実現すように構成され、コプロセッサ（２４２）は、ヒューマンコンピュータインタラクションモジュールと電気的に接続されてヒューマンコンピュータインタラクション情報を送受信するために用いられ、
第一通信モジュールは、コプロセッサ（２４２）と電気的に接続されてデータの双方向伝送を実現する、ことを特徴とする残留電流作動遮断器の機能検出装置。
【請求項２】
前記第一通信モジュールは、ＲＳ４８５と、ＧＰＲＳモジュール（２３１）と、ＧＳＭモジュール（２３２）とを含み、ＲＳ４８５は漏電トリップ装置（５）及び残留電流作動遮断器（３）とそれぞれ通信するように接続され、ＧＰＲＳモジュール（２３１）は、サーバとリモート通信してデータを送受信するために用いられ、ＧＳＭモジュール（２３２）は、モバイル端末と通信してメッセージを送受信するために用いられる、ことを特徴とする請求項１に記載の残留電流作動遮断器の機能検出装置。
【請求項３】
前記商用電源モジュール（２１）は、直流出力回路と、充電回路と、給電回路とを含み、直流出力回路は漏電トリップ装置（５）に給電するように漏電トリップ装置（５）の電源入力端と電気的に接続され、充電回路は蓄電池（２２）に充電するように電気的に接続され、給電回路は第一プロセッサに給電するように電気的に接続され、蓄電池（２２）は第一プロセッサと電気的に接続されて商用電源モジュール（２１）の電源がオフになってから第一プロセッサに給電する、ことを特徴とする請求項１に記載の残留電流作動遮断器の機能検出装置。
【請求項４】
前記ヒューマンコンピュータインタラクションモジュールは、ヒューマンコンピュータインタラクション情報を入力するためのキーボード（２７１）と、ヒューマンコンピュータインタラクション情報を出力するためのディスプレイ（２７２）とを含む、ことを特徴とする請求項１に記載の残留電流作動遮断器の機能検出装置。
【請求項５】
前記漏電トリップ装置（５）は、直流電源回路（５１）と、ＲＳ４８５通信モジュール（５２）と、第二プロセッサ（５３）と、インピーダンス選択リレーキット（５４）と、位相選択リレーキット（５５）と、三相４線式電源入力（５６）と、電圧サンプリング回路（５７）と、電流サンプリング回路（５８）とを含み、直流電源回路（５１）の入力端は、漏電トリップ装置（５）の電源入力端として直流出力回路と電気的に接続されてＲＳ４８５通信モジュール（５２）に給電し、ＲＳ４８５通信モジュール（５２）は、第一通信モジュールと通信するように接続されて第二プロセッサ（５３）とデータの双方向伝送を行い、三相４線式電源入力（５６）は、電圧サンプリング回路（５７）によって第二プロセッサ（５３）と電気的に接続されて第二プロセッサ（５３）へ電圧データを送信し、電流サンプリング回路（５８）は、第二プロセッサ（５３）と電気的に接続されて第二プロセッサ（５３）へ電流データを送信し、第二プロセッサ（５３）と、インピーダンス選択リレーキット（５４）と、位相選択リレーキット（５５）とは順次電気的に接続され、位相選択リレーキット（５５）の出力端は、漏電トリップ装置（５）のアース端子としてアース体（６）と電気的に接続されている、ことを特徴とする請求項１に記載の残留電流作動遮断器の機能検出装置。
【請求項６】
前記直流電源回路（５１）の入力電圧は１２Ｖであり、３．３Ｖまで降圧されてからＲＳ４８５通信モジュール（５２）に接続される、ことを特徴とする請求項５に記載の残留電流作動遮断器の機能検出装置。
【考案の詳細な説明】
【技術分野】
【０００１】
本考案は、電力分野に関し、特に残留電流作動遮断器の機能検出装置に関する。
【背景技術】
【０００２】
農村部の低圧配電網に残留電流作動プロテクターが階層的に設置されることは、感電による人身傷害や死亡事故を低減又は防止するための効果的な対策の一つであり、漏電による電気火災及び電気設備の破損を防止する技術的措置でもある。長年の間、残留電流作動プロテクターは、既に全国各地までその推進と適用が広がり、一般家庭や企業や給電会社等で使用されており、特に、近年給電会社により設置されたインテリジェント残留電流作動プロテクターは、給電会社の運行及びメンテナンス作業における負担をより多く低減した。低圧配電網における残留電流作動プロテクターの作動特性検出は、給電会社の配電設備の運行及びメンテナンスにおける重要な仕事であり、残留電流作動遮断器の機能検出装置の作動感度を向上させることは、感電による人身傷害や死亡事故を直接防止する最も効果的な防御技術措置である。
【考案の概要】
【０００３】
本考案は、残留電流作動遮断器の機能検出装置を提供して、その作動感度を向上させることを目的とする。
上記目的を実現するために、本考案は以下のような技術案を採用する。つまり、低圧配電キャビネットバスバーと、インテリジェント制御端末と、残留電流作動遮断器と、変流器と、漏電トリップ装置と、アース体と、ヒューズとを含み、残留電流作動遮断器の上端におけるＮ／Ａ／Ｂ／Ｃ端子は、低圧配電キャビネットバスバーのＮ／Ａ／Ｂ／Ｃ端子とそれぞれ電気的に接続され、残留電流作動遮断器の下端におけるＮ／Ａ／Ｂ／Ｃ端子は、変流器を介してヒューズと電気的に接続され、インテリジェント制御端末のＮ／Ａ／Ｂ／Ｃ端子は、残留電流作動遮断器の上端におけるＮ／Ａ／Ｂ／Ｃ端子とそれぞれ電気的に接続され、インテリジェント制御端末は、漏電トリップ装置に給電するように電気的に接続され、漏電トリップ装置の下端におけるＮ／Ａ／Ｂ／Ｃ端子は、残留電流作動遮断器の下端におけるＮ／Ａ／Ｂ／Ｃ端子とそれぞれ電気的に接続され、且つ変流器の上流に位置しており、漏電トリップ装置のアース端子は、アース体と電気的に接続され、インテリジェント制御端末と漏電トリップ装置及び残留電流作動遮断器とはＲＳ４８５によりローカル通信が実現される残留電流作動遮断器の機能検出装置であって、インテリジェント制御端末は、商用電源モジュールと、蓄電池と、第一通信モジュールと、第一プロセッサと、第一メモリと、ヒューマンコンピュータインタラクションモジュールと、クロックチップとを含み、第一プロセッサは、主プロセッサとコプロセッサとを含み、主プロセッサは、第一メモリ及びクロックチップとそれぞれ電気的に接続されてデータの双方向伝送を実現し、コプロセッサは、主プロセッサと電気的に接続されてデータの双方向伝送を実現し、コプロセッサは、ヒューマンコンピュータインタラクションモジュールと電気的に接続されてヒューマンコンピュータインタラクション情報を送受信するために用いられ、第一通信モジュールは、コプロセッサと電気的に接続されてデータの双方向伝送を実現する。
【０００４】
更に、前記第一通信モジュールは、ＲＳ４８５と、ＧＰＲＳモジュールと、ＧＳＭモジュールとを含み、ＲＳ４８５は漏電トリップ装置及び残留電流作動遮断器とそれぞれ通信するように接続され、ＧＰＲＳモジュールは、サーバとリモート通信してデータを送受信するために用いられ、ＧＳＭモジュールは、モバイル端末と通信してメッセージを送受信するために用いられる。
【０００５】
更に、前記商用電源モジュールは、直流出力回路と、充電回路と、給電回路とを含み、直流出力回路は漏電トリップ装置に給電するように漏電トリップ装置の電源入力端と電気的に接続され、充電回路は蓄電池に充電するように電気的に接続され、給電回路は第一プロセッサに給電するように電気的に接続され、蓄電池は第一プロセッサと電気的に接続されて商用電源モジュールの電源がオフになってから第一プロセッサに給電する。
【０００６】
更に、前記ヒューマンコンピュータインタラクションモジュールは、ヒューマンコンピュータインタラクション情報を入力するためのキーボードと、ヒューマンコンピュータインタラクション情報を出力するためのディスプレイとを含む。
【０００７】
更に、前記漏電トリップ装置は、直流電源回路と、ＲＳ４８５通信モジュールと、第二プロセッサと、インピーダンス選択リレーキットと、位相選択リレーキットと、三相４線式電源入力と、電圧サンプリング回路と、電流サンプリング回路とを含み、直流電源回路の入力端は、漏電トリップ装置の電源入力端として直流出力回路と電気的に接続されてＲＳ４８５通信モジュールに給電し、ＲＳ４８５通信モジュールは、第一通信モジュールと通信するように接続されて第二プロセッサとデータの双方向伝送を行い、三相４線式電源入力は、電圧サンプリング回路によって第二プロセッサと電気的に接続されて第二プロセッサへ電圧データを送信し、電流サンプリング回路は、第二プロセッサと電気的に接続されて第二プロセッサへ電流データを送信し、第二プロセッサと、インピーダンス選択リレーキットと、位相選択リレーキットとは順次電気的に接続され、位相選択リレーキットの出力端は、漏電トリップ装置のアース端子としてアース体と電気的に接続されている。
更に、前記直流電源回路の入力電圧は１２Ｖであり、３．３Ｖまで降圧されてからＲＳ４８５通信モジュールに接続される。
【０００８】
上記技術案を採用することによって、本考案は、以下のような利点を有することになる。つまり、インテリジェント制御端末には、主プロセッサとコプロセッサからなるデュアルプロセッサという設計が採用され、コプロセッサは、第一通信モジュールによって残留電流作動遮断器、漏電トリップ装置からプッシュされたデータを受信して制御コマンドを発令したり、アラーム情報を作成して報告したり、収集された各種のデータを一時的に保存したりすること等が含まれるデータ通信を主に司り、主プロセッサは、受信されたデータパケットに対して解凍、分類、計算、分析を行い、処理済みのデータを第一メモリ内にプッシュして記憶させて、９００秒のタスクテーブルでデータを整理及びパッケージングしてからサーバに報告することを司る。これによって、インテリジェント制御端末のデータ整理、計算及び判断プログラムの実行速度が向上されるとともに、残留電流作動遮断器の機能検出装置の作動感度が向上され、高速なデータ収集、送受信、分析及び記憶のニーズに応じられ、収集されたデータの損失を回避するようにデータの一時保存を実現できる。  
【図面の簡単な説明】
【０００９】
以下は、図面を参照して本考案を更に説明する：
【図１】本考案における残留電流作動遮断器の機能検出装置の回路模式図である。
【図２】本考案におけるインテリジェント制御端末の構成模式図である。
【図３】本考案における漏電トリップ装置の構成模式図である。
【考案を実施するための形態】
【００１０】
図１に示すように、本考案は、残留電流作動遮断器の機能検出装置を提供し、当該残留電流作動遮断器の機能検出装置は、低圧配電キャビネットバスバー１と、インテリジェント制御端末２と、残留電流作動遮断器３と、変流器４と、漏電トリップ装置５と、アース体６と、ヒューズ７とを含み、残留電流作動遮断器３の上端におけるＮ／Ａ／Ｂ／Ｃ端子は、低圧配電キャビネットバスバー１のＮ／Ａ／Ｂ／Ｃ端子とそれぞれ電気的に接続され、残留電流作動遮断器３の下端におけるＮ／Ａ／Ｂ／Ｃ端子は、変流器４を介してヒューズ７と電気的に接続され、インテリジェント制御端末２のＮ／Ａ／Ｂ／Ｃ端子は、残留電流作動遮断器３の上端におけるＮ／Ａ／Ｂ／Ｃ端子とそれぞれ電気的に接続され、インテリジェント制御端末２は、漏電トリップ装置５の電源入力端と電気的に接続されて漏電トリップ装置５に給電し、漏電トリップ装置５の下端におけるＮ／Ａ／Ｂ／Ｃ端子は、残留電流作動遮断器３の下端におけるＮ／Ａ／Ｂ／Ｃ端子とそれぞれ電気的に接続され、且つ変流器４の上流に位置しており、漏電トリップ装置５のアース端子は、アース体６と電気的に接続され、インテリジェント制御端末２と漏電トリップ装置５及び残留電流作動遮断器３とはＲＳ４８５によりローカル通信が実現される。図２を参照すれば、インテリジェント制御端末２は、商用電源モジュール２１と、蓄電池２２と、第一通信モジュールと、第一プロセッサと、第一メモリ２６と、ヒューマンコンピュータインタラクションモジュールと、クロックチップ２８とを含み、第一プロセッサは、主プロセッサ２４１とコプロセッサ２４２とを含み、主プロセッサ２４１は、第一メモリ２６及びクロックチップ２８とそれぞれ電気的に接続されてデータの双方向伝送を実現し、コプロセッサ２４２は主プロセッサ２４１と電気的に接続されてデータの双方向伝送を実現し、コプロセッサ２４２は、ヒューマンコンピュータインタラクションモジュールと電気的に接続されてヒューマンコンピュータインタラクション情報を送受信するために用いられ、第一通信モジュールは、コプロセッサ２４２と電気的に接続されてデータの双方向伝送を実現する。
【００１１】
本考案において、インテリジェント制御端末２には、主プロセッサ２４１とコプロセッサ２４２からなるデュアルプロセッサという設計が採用され、コプロセッサ２４２は、第一通信モジュールによって残留電流作動遮断器３、漏電トリップ装置からプッシュされたデータを受信して制御コマンドを発令したり、アラーム情報を作成して報告したり、収集された各種のデータを一時的に保存したりすること等が含まれるデータ通信を主に司り、主プロセッサ２４１は、受信されたデータパケットに対して解凍、分類、計算、分析を行い、処理済みのデータを第一メモリ２６内にプッシュして記憶させて、９００秒のタスクテーブルでデータを整理及びパッケージングしてからサーバに報告することを司る。これによって、インテリジェント制御端末２のデータ整理、計算及び判断プログラムの実行速度が向上されるとともに、残留電流作動遮断器３の機能検出装置の作動感度が向上され、高速なデータ収集、送受信、分析及び記憶のニーズに応じられ、収集されたデータの損失を回避するようにデータの一時保存を実現できる。
【００１２】
本実施例において、第一通信モジュールは、ＲＳ４８５と、ＧＰＲＳモジュール２３１と、ＧＳＭモジュール２３２とを含み、ＲＳ４８５は漏電トリップ装置５及び残留電流作動遮断器３とそれぞれ通信するように接続され、ＧＰＲＳモジュール２３１は、サーバとリモート通信してデータを送受信するために用いられ、ＧＳＭモジュール２３２は、モバイル端末と通信してメッセージを送受信するために用いられる。ＧＰＲＳモジュール２３１は、インテリジェント制御端末により９００秒で正常にデータを収集して報告したり、サーバからの各種のコマンドを受信したり、リアルタイムの故障アラーム情報を報告したりすることを主に司り、ＧＳＭモジュール２３２は、各種の配電機器の検出結果、突発故障によって生成されたアラームメッセージの内容を送信したり、リモートで編集されたメッセージによりインテリジェント制御端末２のデータ及び配電機器の運行状態を制御又は確認したりすることを司り、突発故障によって生成されたアラーム情報は、ＧＰＲＳモジュール２３１及びＧＳＭモジュール２３２によって双方向へ同期的に伝送される。これによって、以下の利点を有する。つまり、一つ目は、ＧＰＲＳのネットワークが不安定な場合に、緊急情報の伝送時に損失が発生しないことであり、二つ目は、単一の通信モジュールに故障が生じる場合に、別の通信モジュールによりアラーム情報を伝達することができることであり、三つ目は、重要なデータを異なる通信モジュールにより取得して確認できることであり、四つ目は、重要なコマンドを下せない場合に、通信方法を切り替えてコマンドを伝送できることである。
【００１３】
インテリジェント制御端末２は、ＲＳ４８５により漏電トリップ装置５及び残留電流作動遮断器３とのローカル通信を実現するため、２秒ごとに残留電流作動遮断器３のＡ／Ｂ／Ｃ相の電圧、Ａ／Ｂ／Ｃ相の電流、残留電流及びスイッチング量のデータを収集し、收集されたデータは、９００秒ごとにＧＰＲＳモジュール２３１によってサーバに一回プッシュされる。インテリジェント制御端末２の通信故障診断方法によって通信故障診断を行うことができる。具体的には、以下のとおりである。
Ｓ１：故障診断プログラムを起動させる。
【００１４】
Ｓ２：９００秒間隔のデータアップロード及びサーバ応答情報を利用してインテリジェント制御端末２のＧＰＲＳモジュール２３１に対して通信故障判断を行い、応答が正常であれば、ＧＰＲＳモジュール２３１が正常であり、さもなければ、コプロセッサ２４２により「××共用変圧器××端末ＧＰＲＳモジュール故障が疑われる」というメッセージ内容が生成され、ＧＳＭモジュール２３２にプッシュされてメンテナンス担当者に送信される。
【００１５】
Ｓ３：残留電流作動遮断器３により２秒ごとに報告されたＡ／Ｂ／Ｃ相の電圧、Ａ／Ｂ／Ｃ相の電流、残留電流及びスイッチング量のデータパケットがインテリジェント制御端末２に報告される回数に応じて判断を行い、一時間ごとのデータ収集回数が９回未満又は一日のデータ収集回数が２１６回未満の場合、コプロセッサ２４２により「××共用変圧器×号残留電流作動遮断器とＲＳ４８５の通信接続が緩くなった故障が疑われる」というメッセージ内容が生成され、ＧＰＲＳモジュール２３１及びＧＳＭモジュール２３２を介して双方向伝送が行われ、６時間以内のデータ収集回数がゼロである場合、「××共用変圧器×号残留電流作動遮断器とＲＳ４８５の通信接続故障”というメッセージが生成される。
【００１６】
Ｓ４：毎日４時と１２時に、インテリジェント制御端末２は、第一メモリ２６でＧＳＭモジュール２３２のプッシュ記録を検索し、前日の１５時から当日の２時までの間にメッセージの送信記録がある場合、ＧＳＭモジュール２３２の故障診断をスキップして、そうでない場合、Ｓ５に移行する。
【００１７】
Ｓ５：インテリジェント制御端末２の主プロセッサ２４１は、「ＧＳＭモジュール故障診断」というメッセージを編集し、コプロセッサ２４２を介してＧＳＭモジュール２３２にプッシュしてインテリジェント制御端末２の第１順位に保存された携帯電話番号に対応する携帯電話に送信する。そして、モバイル会社のメッセージ自動応答機能によって、インテリジェント制御端末２が「１」という応答メッセージを受信する場合、ＧＳＭモジュール２３２が正常であることを意味し、そうでない場合、コプロセッサ２４２により「××共用変圧器××端末ＧＳＭモジュール故障」というメッセージが生成され、ＧＰＲＳモジュール２３１を介してサーバ故障アラームインターフェイスにプッシュされる。
【００１８】
Ｓ６：漏電トリップ装置５がインテリジェント制御端末２によりプッシュされた残留電流作動遮断器３に対する機能検出タスクの実行や配電機器に対する故障診断の支援を受信していない場合に、ＲＳ４８５の通信ポートは休眠期間にあり、毎日４時と１２時に、前日の１５時から当日の２時までの間に機能検出タスクの発生や故障診断支援の記録がある場合に、今回のＲＳ４８５通信ポート故障診断を中止し、そうでない場合に、主プロセッサ２４１により漏電トリップ装置５のＡ／Ｂ／Ｃ相の電圧データを問い合わせるコマンドが生成されてコプロセッサ２４２にプッシュされ、また、コプロセッサ２４２により前記コマンドがプッシュされ、ＲＳ４８５通信ポートをアクティブにして、漏電トリップ装置５のＡ／Ｂ／Ｃ相の電圧データを収集して報告する。そして、インテリジェント制御端末２により、内蔵の収集されたＡ／Ｂ／Ｃ相の電圧データと比較して、両電圧データの誤差が比較的小さい場合に通信が正常であり、報告データが受信されず又はデータの誤差が大きい場合に、コプロセッサ２４２により“××共用変圧器×号漏電トリップ装置とＲＳ４８５の通信接続故障が疑われる”というメッセージ内容が生成され、ＧＰＲＳモジュール２３１及びＧＳＭモジュール２３２を介して双方向へ同期的に伝送される。
【００１９】
インテリジェント制御端末２及び漏電トリップ装置５を長期にわたって確実に動作させるために、本実施例において、商用電源モジュール２１は、直流出力回路、充電回路及び給電回路を含み、直流出力回路は、漏電トリップ装置５に給電するように漏電トリップ装置５の電源入力端と電気的に接続され、充電回路は、蓄電池２２に充電するように電気的に接続され、給電回路は、第一プロセッサに給電するように電気的に接続され、蓄電池２２は第一プロセッサと電気的に接続され、且つ商用電源モジュール２１の電源がオフになってから第一プロセッサに給電する。
【００２０】
ヒューマンコンピュータインタラクションモジュールは、ヒューマンコンピュータインタラクション情報を入力するためのキーボード２７１とヒューマンコンピュータインタラクション情報を出力するためのディスプレイ２７２を含む。
【００２１】
図３を参照すると、漏電トリップ装置５は、直流電源回路５１と、ＲＳ４８５通信モジュール５２と、第二プロセッサ５３と、インピーダンス選択リレーキット５４と、位相選択リレーキット５５と、三相４線式電源入力５６と、電圧サンプリング回路５７と、電流サンプリング回路５８とを含み、直流電源回路５１の入力端は、漏電トリップ装置５の電源入力端として直流出力回路と電気的に接続されてＲＳ４８５通信モジュールに給電し、ＲＳ４８５通信モジュールは、第一通信モジュールと通信するように接続されて第二プロセッサ５３とデータの双方向伝送を行い、三相４線式電源入力５６は、電圧サンプリング回路５７によって第二プロセッサ５３と電気的に接続されて第二プロセッサ５３へ電圧データを送信し、電流サンプリング回路５８は、第二プロセッサ５３と電気的に接続されて第二プロセッサ５３へ電流データを送信し、第二プロセッサ５３と、インピーダンス選択リレーキット５４と、位相選択リレーキット５５とは、順次に電気的に接続され、位相選択リレーキット５５の出力端は、漏電トリップ装置５のアース端子としてアース体６と電気的に接続されている。
【００２２】
直流電源回路５１の入力電圧は１２Ｖであり、３．３Ｖまで降圧されてからＲＳ４８５通信モジュール５２に接続される。残留電流作動遮断器３に対して機能検出が行われる際に、残留電流作動遮断器３の作動前後を問わず、漏電トリップ装置５への正常給電に影響が与えられない。
【００２３】
上記好適な実施例以外に、本考案は、他の実施形態も有し、当業者は、本考案に基づいて各種の変更及び変形を行うことができ、本考案の要旨を逸脱しなければ、これらの変更及び変形は、本考案登録請求の範囲により定義された範囲に属する。
【図１】
0003234333.tif 000003
【図２】
0003234333.tif 000004
【図３】
0003234333.tif 000005